(57)【要約】【課題】従来の監視システムでは、木造構造物の環境異常発生の有無は、単に測定データの値が特定のしきい値を超えたか否かで判断されているため、耐震性等の低下につながるような重大な品質低下を招く恐れがあり、更に、木造構造物における湿度等の測定データには木造構造物の戸外の外気との関係が何ら考慮されていないため、測定データの分析が不十分で腐食進行に繋がる重大な環境異常を見逃す恐れがある、という問題があった。【解決手段】木造構造物２の周囲環境を計測する計測センサ１３・１４と、該構造物計測センサ１３・１４からの測定データを収集して分類しインターネット等のネットワーク３に送信する計測コントローラ１２と、該計測コントローラ１２からの測定データに基づいて木造構造物２の品質を推測する品質管理装置７とを備える。【選択図】図１
2007122175.tif 000002
【特許請求の範囲】
【請求項１】
木造構造物における環境変化に関する情報を収集して分析し、木造構造物の品質と環境を監視する木造構造物監視システムにおいて、該木造構造物監視システムは、木造構造物の周囲環境を計測する計測手段と、該計測手段からの測定データを収集して分類しインターネット等のネットワークに送信する送信制御手段と、該送信制御手段からの測定データに基づいて木造構造物の品質を推測する品質推測手段とを備えることを特徴とする木造構造物監視システム。
【請求項２】
前記品質推測手段内またはネットワーク内に記憶手段を備え、該記憶手段には、木造構造物の周囲環境を計測して得られた構造物測定データを蓄積する構造物計測情報データベースと、木造構造物の戸外の外気を計測して得られた外気測定データを蓄積する外気計測情報データベースと、前記構造物測定データから木造構造物の品質を推測すると共に前記構造物測定データと外気測定データとから環境異常の有無を判断するための情報やプログラム等を蓄積した分析モデルデータベースとを備えることを特徴とする請求項１記載の木造構造物監視システム。
【請求項３】
前記送信制御手段と計測手段とは、無線で交信可能な構成にすると共に、前記送信制御手段は、前記計測手段に電波を発信して非接触で電力を供給することを特徴とする請求項１又は請求項２記載の木造構造物監視システム。
【請求項４】
前記計測手段は、木造構造物に貼付又は係止可能な取付構造を備えると共に、前記送信制御手段は、計測手段から受信した電波の方向や強度等の電波特性を分析して、該計測手段の位置データと破損データとを取得することを特徴とする請求項３記載の木造構造物監視システム。
【請求項５】
前記木造構造物監視システムは生活監視サブシステムを有し、該生活監視サブシステムは、前記木造構造物内での生活状況や住環境を計測する生活情報計測手段と、該生活情報計測手段からの測定データを収集してインターネット等のネットワークに送信する生活情報送信制御手段とを備え、該生活情報送信制御手段からの測定データに基づいて生活状況や住環境の異常の有無を判断することを特徴とする請求項１乃至請求項４のうちのいずれか一項に記載の木造構造物監視システム。
【発明の詳細な説明】
【技術分野】
【０００１】
本発明は、腐食による木造構造物の品質変化や環境変化を監視し、検知された品質異常や環境異常に対して迅速に対応可能な木造構造物監視システムに関する。
【背景技術】
【０００２】
木造構造物の腐朽菌による腐食には、栄養分となる木材の他、酸素、温度、水分の四条件が必要であるが、このうちの栄養、酸素は一般の木造構造物では十分に満たされていることから、残りの温度、水分が腐食の進行の律速因子となっている。そのため、高温多湿の腐食環境下では、腐朽菌による腐食が急速に進み、各種品質の低下、特に構造強度の著しい低下を招く。すなわち、このような高温多湿の腐食環境下では、木造構造物の骨組みである土台、柱、梁、筋交い等の各部の構造強度が低下し、木造構造物全体での耐震性、耐風性等も低下することとなる。また、品質低下部位の補強や良好な外観維持には莫大な補修費が必要となるばかりか、たとえ補修を施しても、木造構造物の商品としての経済的価値の低下は避けられない。
そこで、木造構造物周囲の湿度等をセンサーで常時監視しておき、湿度等の測定データが異常値を示した場合に、該測定データを監視センターに送信し、換気や応急処置等の対策を行う監視システム（例えば特許文献１）が公知となっている。
【特許文献１】特許第３５１６９１２号公報
【発明の開示】
【発明が解決しようとする課題】
【０００３】
しかしながら、この従来の監視システムでは、木造構造物での環境異常発生の有無は、測定データの値が特定のしきい値を超えたか否かで判断されているため、漏水による床下浸水等の顕著な環境異常は検知できるが、外部からは確認しにくい、木造構造物内部における長期にわたって進行する腐食に対する対応は十分とはいえず、耐震性等の低下につながるような重大な品質低下を招く恐れがある、という問題があった。
しかも、木造構造物における湿度等の測定データには木造構造物の戸外の外気との関係が何ら考慮されていないため、測定データの分析が不十分で、腐食進行に繋がる重大な環境異常を見逃す恐れがある、という問題があった。
【課題を解決するための手段】
【０００４】
本発明の解決しようとする課題は以上の如くであり、次にこの課題を解決するための手段を説明する。
すなわち、請求項１においては、木造構造物における環境変化に関する情報を収集して分析し、木造構造物の品質と環境を監視する木造構造物監視システムにおいて、該木造構造物監視システムは、木造構造物の周囲環境を計測する計測手段と、該計測手段からの測定データを収集して分類しインターネット等のネットワークに送信する送信制御手段と、該送信制御手段からの測定データに基づいて木造構造物の品質を推測する品質推測手段とを備えるものである。
請求項２においては、前記品質推測手段内またはネットワーク内に記憶手段を備え、該記憶手段には、木造構造物の周囲環境を計測して得られた構造物測定データを蓄積する構造物計測情報データベースと、木造構造物の戸外の外気を計測して得られた外気測定データを蓄積する外気計測情報データベースと、前記構造物測定データから木造構造物の品質を推測すると共に前記構造物測定データと外気測定データとから環境異常の有無を判断するための情報やプログラム等を蓄積した分析モデルデータベースとを備えるものである。
請求項３においては、前記送信制御手段と計測手段とは、無線で交信可能な構成にすると共に、前記送信制御手段は、前記計測手段に電波を発信して非接触で電力を供給するものである。
請求項４においては、前記計測手段は、木造構造物に貼付又は係止可能な取付構造を備えると共に、前記送信制御手段は、計測手段から受信した電波の方向や強度等の電波特性を分析して、該計測手段の位置データと破損データとを取得するものである。
請求項５においては、前記木造構造物監視システムは生活監視サブシステムを有し、該生活監視サブシステムは、前記木造構造物内での生活状況や住環境を計測する生活情報計測手段と、該生活情報計測手段からの測定データを収集してインターネット等のネットワークに送信する生活情報送信制御手段とを備え、該生活情報送信制御手段からの測定データに基づいて生活状況や住環境の異常の有無を判断するものである。
【発明の効果】
【０００５】
本発明は、以上のように構成したので、以下に示す効果を奏する。
すなわち、請求項１においては、木造構造物における環境変化に関する情報を収集して分析し、木造構造物の品質と環境を監視する木造構造物監視システムにおいて、該木造構造物監視システムは、木造構造物の周囲環境を計測する計測手段と、該計測手段からの測定データを収集して分類しインターネット等のネットワークに送信する送信制御手段と、該送信制御手段からの測定データに基づいて木造構造物の品質を推測する品質推測手段とを備えるので、床下浸水等の顕著な異常を検知できるばかりでなく、長期にわたって進行する腐食に対しても周囲環境の測定データから木造構造物の品質を推測できるため、該推測結果を基に、通気性の確保、補修等の適切な腐食対策を予め講じることができ、木造構造物の品質低下を抑制し、腐食被害の拡大を確実に防止することができる。
請求項２においては、前記品質推測手段内またはネットワーク内に記憶手段を備え、該記憶手段には、木造構造物の周囲環境を計測して得られた構造物測定データを蓄積する構造物計測情報データベースと、木造構造物の戸外の外気を計測して得られた外気測定データを蓄積する外気計測情報データベースと、前記構造物測定データから木造構造物の品質を推測すると共に前記構造物測定データと外気測定データとから環境異常の有無を判断するための情報やプログラム等を蓄積した分析モデルデータベースとを備えるので、周囲環境の測定データを分析するにあたって戸外の外気の湿度等を考慮することができ、従来のように気象変動による測定データの変化を誤って異常発生とみなしたり、逆に気象変動に隠れて測定データの異常に気づかないといった誤りを確実に防止して、周囲環境の状況を正確に把握することができ、木造構造物の腐食に繋がる重大な環境異常も見逃すことがない。
請求項３においては、前記送信制御手段と計測手段とは、無線で交信可能な構成にすると共に、前記送信制御手段は、前記計測手段に電波を発信して非接触で電力を供給するので、各種データの送受信や電源の供給のための配線のせいで計測手段の取付位置が制限されることがなく、更に、電池切れや電源コードが抜けて急に計測手段が動作不能となることもなく、計測手段の設置自由度が高い上に電力切れのない安定した木造構造物監視システムを提供することができる。
請求項４においては、前記計測手段は、木造構造物に貼付又は係止可能な取付構造を備えると共に、前記送信制御手段は、計測手段から受信した電波の方向や強度等の電波特性を分析して、該計測手段の位置データと破損データとを取得するので、木造構造物に直接貼付又は係止した計測手段が腐食の進行に伴って取付位置からずれたり、脱落したり、あるいは破損したことを即座に検知することができるため、周囲環境の計測による間接的なデータに加えて、計測手段そのものを使って木質部材の腐食による膨張や腐朽といった現象を直に確認することができ、腐食の進行度合いをより精度良く検知することができる。
請求項５においては、前記木造構造物監視システムは生活監視サブシステムを有し、該生活監視サブシステムは、前記木造構造物内での生活状況や住環境を計測する生活情報計測手段と、該生活情報計測手段からの測定データを収集してインターネット等のネットワークに送信する生活情報送信制御手段とを備え、該生活情報送信制御手段からの測定データに基づいて生活状況や住環境の異常の有無を判断するので、要介護者や独居老人等の居住者の暮らしぶりや住まいの様子を適宜監視することができ、居住者や住環境の異常を早期に検知して適切な対応をとることができるため、居住者のトラブルや住環境被害の拡大を確実に防止することができる。
【発明を実施するための最良の形態】
【０００６】
次に、発明の実施の形態を説明する。
図１は本発明に関わる木造構造物監視システムの全体構成を示すブロック図、図２は計測手段である計測センサの詳細構成を示すブロック図、図３は送信制御手段である計測コントローラの詳細構成を示すブロック図、図４は計測センサと計測コントローラの配置構成を示す木造構造物の平面模式図、図５は品質推測手段である品質管理装置の詳細構成を示すブロック図、図６は木質部の経時劣化モデルを示す図、図７は湿度変化を示す図であり、図７（ａ）は１日の湿度変化、図７（ｂ）は月間の最大湿度差の変化を示す図、図８は無線式の木造構造物監視システムの全体構成を示すブロック図、図９は無線式の計測センサの詳細構成を示すブロック図、図１０は無線式の計測コントローラの詳細構成を示すブロック図、図１１は生活監視サブシステムを有する木造構造物監視システムの全体構成を示すブロック図、図１２は生活監視サブシステムの詳細構成を示すブロック図である。
である。
【０００７】
まず、本発明に係わる木造構造物監視システムの全体構成について、図１により説明する。
該木造構造物監視システム１において、木造住宅等の木造構造物２の浴室、洗面所、台所、床下等には複数の構造物計測センサ１３が取り付けられ、木造構造物２の外壁外面等には外気計測センサ１４が取り付けられる。更に、木造構造物２には計測コントローラ１２が設置され、該計測コントローラ１２に、前記各種計測センサ１３・１４が接続されている。
【０００８】
該計測コントローラ１２は、インターネット等のネットワーク３に接続され、該ネットワーク３には、前記木造構造物２を使用する利用者４の携帯電話やパソコン等のローカル端末５と、木造構造物２の監視サービスを提供する木造構造物監視センター６の品質管理装置７とが接続されている。
【０００９】
更に、該品質管理装置７には、必要に応じて、前記利用者４が保守管理契約を結んだ建築会社等の保守管理機関８におけるローカル端末９や、該保守管理機関８や前記利用者４等と保険契約や担保契約等を結んだ保険金融関連等の資産管理機関１０におけるローカル端末１１を、専用回線１５や前記ネットワーク３を介して接続することもできる。
【００１０】
このような構成において、前記計測コントローラ１２が、計測センサ１３・１４から得られた各種の測定データを、データの種類や測定位置等で分類した上でネットワーク３を介して木造構造物監視センター６の品質管理装置７に送信し、該品質管理装置７では、分析して木造構造物２各部の現在の品質を推測すると共に周囲環境の状況を把握する。そして、得られた分析結果は、ネットワーク３を介して、利用者４、更には関連機関である保守管理機関８や資産管理機関１０に瞬時に伝達することができるので、木造構造物監視センター６が木造構造物２の品質変化や環境変化を常時監視することにより、保守管理機関８や資産管理機関１０は、腐食対策情報や資産運用等のための品質推測情報をリアルタイムで取得することができる。
更に、これらの関連機関８・１０と前記利用者４との連係も密となって、関係機関８・１０から利用者４への的確な指示や、逆に、該利用者４から関係機関８・１０への木造構造物２に関する詳細情報の提供が容易となり、該木造構造物２の品質異常や環境異常に対するより迅速な対応が可能となる。
【００１１】
次に、前記計測センサ１３・１４、計測コントローラ１２について、図１乃至図４により説明する。
計測センサ１３・１４は、変復調回路等から成る通信装置１６と、該通信装置１６を制御して前記計測コントローラ１２との間で配線２３を介して通信を行う通信制御装置１７と、周囲環境、例えば湿度、含水率、温度を計測するための素子を組み込んだセンサ部１８と、該センサ部１８、前記通信装置１６、及び通信制御装置１７を作動させるための、定電流回路等から成る電力供給部１９とを備えている。
【００１２】
このうちの通信制御装置１７には、通信制御プログラム等の各種プログラムを読み込むメインメモリ２１と、該プログラムの指令を受けて各種処理を行う中央処理装置２０と、ＲＯＭ等の読み出し専用のメモリから成る記憶装置２２とが内蔵され、該記憶装置２２内には、各計測センサ１３・１４の個体番号のようなセンサ識別情報を蓄積したセンサ識別情報データベース２２ａを設けている。
【００１３】
また、前記計測コントローラ１２の場合も、変復調回路等から成る通信装置２４と、該通信装置２４を制御して前記計測センサ１３・１４との間で配線２３を介して通信を行う通信制御装置２５と、キーボード、タッチパネル、音声入力機器などの入力装置やＣＲＴディスプレイ、液晶ディスプレイなどの出力装置を備えた入出力部２６と、該入出力部２６、前記通信装置２４、及び通信制御装置２５を作動させるための、ＡＣ／ＤＣ電源等の電力供給部２７とを備えている。
【００１４】
前記通信制御装置２５にも、通信制御プログラム等の各種プログラムを読み込むメインメモリ２９と、該プログラムの指令を受けて各種処理を行う中央処理装置２８と、ＥＥＰＲＯＭ等の書き込み可能なメモリから成る記憶装置３０とが内蔵されている。該記憶装置３０内には、各計測センサ１３・１４の個体番号のようなセンサ識別情報と、各個体番号に対応する、計測センサの種類（構造物計測用か外気計測用か）、計測対象の種類（湿度用、温度用、含水率用、漏水用等）、計測センサの設置位置（浴室、床下等）等のセンサ固有情報と、各木造構造物２の個体番号のような構造物識別情報とを蓄積した固有・識別情報データベース３０ａを設けている。
【００１５】
そして、図４に示すように、構造物計測センサ１３ａ乃至１３ｍ、外気計測センサ１４は、配線２３によって互いに接続されると共に、該配線２３の途中部に前記計測コントローラ１２が接続され、該計測コントローラ１２を介して各計測センサ１３・１４が前記ネットワーク３に接続されている。
【００１６】
このような構成において、定期的に、前記計測コントローラ１２が、所定の計測センサ１３・１４に向かって、データ収集のための作動信号１３を送信する。あるいは、必要に応じて、前記木造構造物監視センター６や利用者４が、前記品質管理装置７やローカル端末５を操作して、ネットワーク３を介して作動信号３１を所定の前記計測コントローラ１２に送信すると、該計測コントローラ１２中の通信制御装置２５が、前記固有・識別情報データベース３０ａを基に、測定に使用する計測センサ１３・１４を選択し、該当する計測センサ１３・１４に向かって、作動信号３１を送信するのである。
【００１７】
このようにして送られてきた作動信号３１を受信した計測センサ１３・１４は、前記センサ部１８を作動させて計測し、得られた木造構造物や外気の測定データは、前記センサ識別情報データベース２２ａ中のセンサ識別情報と一緒に、配線２３を介して前記計測コントローラ１２に返信される。
【００１８】
該計測コントローラ１２では、測定データと一緒に返信されてきたセンサ識別情報を、固有・識別情報データベース３０ａ中のセンサ識別情報と照合し、該測定データを、例えば木造構造物の浴室の湿度、木造構造物周囲の外気の湿度、木質部の含水率といったように分類する。これを測定データ識別情報として測定データに付与し、更に、該測定データは、固有・識別情報データベース３０ａ中の構造物識別情報と関連づけられた上で、ネットワーク３を介し、前記品質管理装置７やローカル端末５に送信されるのである。
【００１９】
次に、該木造構造物監視センター６の品質管理装置７、及びそれによる品質の推測や周囲環境状況の把握について、図５乃至図７により説明する。
前記品質管理装置７は、入出力・演算部３２、ハードディスク等の記憶装置３３、及び通信インターフェース３４を有し、該通信インターフェース３４を介して前記ネットワーク３に接続されている。このうち前記入出力・演算部３２は、キーボード、タッチパネル、音声入力機器、マウスなどの入力装置３５と、ＣＲＴディスプレイ、液晶ディスプレイなどの表示機器やレーザープリンタなどの印刷機器に代表される出力装置３６と、制御プログラムや前記測定データを分析するための分析プログラムなどの各種プログラムを読み込むメインメモリ３７と、該プログラムの指令を受けて各種処理を行う中央処理装置３８とから成る。
【００２０】
そして、前記記憶装置３３内には、前記計測コントローラ１２からの測定データから測定データ識別情報に基づいて抽出した木造構造物の測定データ（以下、「構造物測定データ」とする）を蓄積する構造物計測情報データベース３３ａと、同様にして抽出した戸外での測定データ（以下、「外気測定データ」とする）を蓄積する外気計測情報データベース３３ｂと、木造構造物２の個体番号、種類、構造、建築時期、所在地の環境、センサ配置位置等の構造物固有情報を蓄積した固有情報データベース３３ｃと、腐食環境下での木質部の経時劣化モデル、品質低下部位の補強等の補修が必要とされる限界強度等の限界品質レベル、周囲環境と戸外との比較評価等の各種分析に必要な計算プログラム等の分析モデルプログラム、及び異常発生有無の判断基準となる計測対象毎のしきい値を蓄積した分析モデルデータベース３３ｄと、分析により得られた木造構造物２の品質と周囲環境の状況等の分析データを蓄積する分析結果データベース３３ｅとを設けている。なお、前記各測定データには構造物識別情報が付随している。
【００２１】
このような構成において木造構造物２の各部の品質を推測する場合は、前記構造物測定データが構造物計測情報データベース３３ａから読み出されると共に、該構造物測定データの構造物識別情報から特定される木造構造物２の構造物固有情報が固有情報データベース３３ｃから読み出され、これら構造物測定データと構造物固有情報に対して、前記分析モデルデータベース３３ｄからメインメモリ３７に読み込まれた分析モデルに基づき、中央処理装置３８が品質推測処理を実行し、その結果は、分析データとして前記分析結果データベース３３ｅに蓄積される。
【００２２】
例えば、図６に示すように、該当する腐食環境下における木質部の経時劣化モデルの曲線３９と限界強度４１とを前記分析モデルデータベース３３ｄから読み出し、構造物固有情報中の建築時期から築後経過期間を求めて測定時の強度４０を推測すると共に、前記限界強度４１から補修期限を求めて該補修期限までの猶予期間４２を推測することができる。
【００２３】
また、木造構造物２の各部の周囲環境状況を把握する場合は、前記構造物測定データと外気測定データとが、前記構造物計測情報データベース３３ａと外気計測情報データベース３３ｂとからそれぞれ読み出され、これら構造物測定データと外気測定データに対して、前記分析モデルデータベース３３ｄからメインメモリ３７に読み込まれた分析モデルプログラムに基づき、中央処理装置３８が環境異常検出処理を実行し、その結果は、分析データとして前記分析結果データベース３３ｅに蓄積される。
【００２４】
例えば、図７（ａ）に示すように、計算プログラムを前記分析モデルデータベース３３ｄから読み出し、構造物測定データの曲線４３と外気測定データの曲線４４との最大湿度差４５を算出する。そして、図７（ｂ）に示すように、該最大湿度差４５が急激に変動した場合には、異常発生とみなして前記分析結果データベース３３ｅに異常情報として蓄積されると同時に、警報が発せられる。もちろん、前記分析モデルデータベース３３ｄ中のしきい値を構造物測定データの値が超えた場合にも、異常発生とみなされる。また、木質部の含水率についても、同様に、計算プログラムを前記分析モデルデータベース３３ｄから読み出して一日における最大含水率を算出し、該最大含水率が急激に変動した場合には、異常発生とみなして前記分析結果データベース３３ｅに異常情報として蓄積すると同時に、警報を発するようにすることができる。
【００２５】
このようにして、記憶装置３３中の分析結果データベース３３ｅに蓄積された、測定時の強度４０、補修等までの猶予期間４２、異常情報等の分析データは、構造物測定データと一緒にネットワーク３を介して、利用者４、関連機関８・１０等に瞬時に伝達される。更には、これら分析データ、構造物測定データは、図示せぬサーバ又は木造構造物監視センター６内に開いたホームページ上に表示し、該ホームページには、登録している利用者４や関係機関８・１０がローカル端末５・９・１１から自由にアクセスできるようにしてもよい。
【００２６】
すなわち、木造構造物２における環境変化に関する情報を収集して分析し、木造構造物２の品質と環境を監視する木造構造物監視システム１において、該木造構造物監視システム１は、木造構造物２の周囲環境を計測する計測手段である計測センサ１３・１４と、該構造物計測センサ１３・１４からの測定データを収集して分類しインターネット等のネットワーク３に送信する送信制御手段である計測コントローラ１２と、該計測コントローラ１２からの測定データに基づいて木造構造物２の品質を推測する品質推測手段である品質管理装置７とを備えるので、床下浸水等の顕著な異常を検知できるばかりでなく、長期にわたって進行する腐食に対しても周囲環境の測定データから木造構造物２の品質を推測できるため、該推測結果を基に、通気性の確保、補修等の適切な腐食対策を予め講じることができ、木造構造物２の品質低下を抑制し、腐食被害の拡大を確実に防止することができる。
【００２７】
更に、前記品質推測手段である品質管理装置７内またはネットワーク３内に記憶手段である記憶装置３３を備え、該記憶装置３３には、木造構造物２の周囲環境を計測して得られた構造物測定データを蓄積する構造物計測情報データベース３３ａと、木造構造物２の戸外の外気を計測して得られた外気測定データを蓄積する外気計測情報データベース３３ｂと、前記構造物測定データから木造構造物２の品質を推測すると共に前記構造物測定データと外気測定データとから環境異常の有無を判断するための情報やプログラム等を蓄積した分析モデルデータベース３３ｄとを備えるので、周囲環境の測定データを分析するにあたって戸外の外気の湿度等を考慮することができ、従来のように気象変動による測定データの変化を誤って異常発生とみなしたり、逆に気象変動に隠れて測定データの異常に気づかないといった誤りを確実に防止して、周囲環境の状況を正確に把握することができ、木造構造物２の腐食に繋がる重大な環境異常も見逃すことがない。
【００２８】
次に、前記計測センサと計測コントローラとの間を無線で交信可能な構成とした場合の実施例について、図８乃至図１０により説明する。
このような無線式の木造構造物監視システム４６では、無線式の構造物計測センサ６７と外気計測センサ６８とは、いずれもアンテナ部４８と、樹脂などのモールドで囲まれたいわゆる非接触ＩＣチップにより構成される制御部４９と、湿度等を計測するための素子を組み込んだセンサ部５０とから成る。そして、前記制御部４９内には、変復調回路等から成る通信装置４７と、該通信装置４７を制御して後述の無線式の計測コントローラ６６との間で無線通信を行う通信制御装置５１とが、小型チップ化されて内蔵されている。更に、該通信制御装置５１内には、通信制御プログラム等の各種プログラムを読み込むメインメモリ５３と、該プログラムの指令を受けて各種処理を行う中央処理装置５２と、ＲＯＭ等の読み出し専用のメモリから成る記憶装置５４とを内蔵しており、該記憶装置５２内には、各計測センサ６７・６８の個体番号のようなセンサ識別情報を蓄積したセンサ識別情報データベース５４ａを設けている。
【００２９】
また、無線式の計測コントローラ６６は、アンテナ部５５と、制御部５６と、キーボード、タッチパネル、音声入力機器などの入力装置やＣＲＴディスプレイ、液晶ディスプレイなどの出力装置を備えた入出力部５７と、該入出力部５７、前記制御部５６を作動させるための、ＡＣ／ＤＣ電源等の電力供給部５８とを備えている。そして、前記制御部５６内には、変復調回路等から成る通信装置５９と、該通信装置５９を制御して前記計測センサ６７・６８との間で無線通信を行う通信制御装置６０とが、小型チップ化されて内蔵されている。更に、該通信制御装置６０内には、通信制御プログラムや前記センサ電波を分析するための分析プログラムなどの各種プログラムを読み込むメインメモリ６２と、該プログラムの指令を受けて各種処理を行う中央処理装置６１と、ＥＥＰＲＯＭ等の書き込み可能なメモリから成る記憶装置６３を内蔵しており、該記憶装置６３内には、固有・識別情報データベース６３ａに加えてセンサ位置情報データベース６３ｂを設け、該センサ位置情報データベース６３ｂには、各計測センサ６７・６８の発信するセンサ電波６５の基準の強度や周波数等の動作特性と、該センサ電波の方向や強度等の電波特性を分析して計測センサ６７・６８の現在の位置を推定する位置推定プログラムと、推定した現在の位置データと、取付時の位置データとを蓄積している。
【００３０】
このような構成において、前実施例と同様に、定期的に、計測コントローラ６６が、所定の計測センサ６７・６８に向かって、データ収集のための作動電波６４を発信する。あるいは、必要に応じて、前記木造構造物監視センター６や利用者４が、前記品質管理装置７やローカル端末５を操作して、ネットワーク３を介して作動信号３１を所定の無線式計測コントローラ６６に送信すると、通信制御装置６０が、前記固有・識別情報データベース６３ａを基に、測定に使用する無線式の計測センサ６７・６８を選択し、該当する計測センサ６７・６８に向かって作動電波６４を発信する。
【００３１】
このようにして送られてきた作動電波６４を、前記計測センサ６７・６８のアンテナ部４８が受けると、電磁誘導により電流が流れて電力が生じ、該電力によって前記制御部４９とセンサ部５０とが起動して計測が行われる。そして、得られた木造構造物や外気の測定データと、前記センサ識別情報データベース５４ａ中のセンサ識別情報とを含んだセンサ電波６５を、前記計測コントローラ６６に向けて返信する。
【００３２】
すなわち、前記送信制御手段である計測コントローラ６６と、計測手段である計測センサ６７・６８とは、無線で交信可能な構成にすると共に、前記計測コントローラ６６は、前記計測センサ６７・６８に電波を発信して非接触で電力を供給するので、各種データの送受信や電源の供給のための配線のせいで計測センサ６７・６８の取付位置が制限されることがなく、更に、電池切れや電源コードが抜けて急に計測センサ６７・６８が動作不能となることもなく、計測センサ６７・６８の設置自由度が高い上に電力切れのない安定した木造構造物監視システム４６を提供することができる。
【００３３】
また、計測コントローラ６６では、センサ電波６５を受信すると、測定データと一緒に返信されてきたセンサ識別情報を固有・識別情報データベース６３ａ中のセンサ識別情報と照合して分類し、これを測定データ識別情報として前記測定データに付与し、更に、該測定データは、固有・識別情報データベース６３ａ中の構造物識別情報と関連づけられた上で、ネットワーク３を介して前記品質管理装置７やローカル端末５に送信され、前実施例と同様にして、木造構造物２の品質の推定や、周囲環境の状況の把握が行われる。
【００３４】
そして、同時に、前記通信装置５９にて検出されたセンサ電波６５の方向や強度等の電波特性が、前記メインメモリ６１と中央処理装置６２により、前記センサ位置情報データベース６３ｂ中の位置推定プログラムに従って分析され、計測センサ６７・６８の現在の位置データが推定される。この現在の位置データは、前記センサ位置情報データベース６３ｂに蓄積された上で、取付時の位置データと比較され、該取付時位置データと前記現在位置データとが異なれば、異常信号６９が、計測コントローラ６６からネットワーク３を介して前記品質管理装置７やローカル端末５に送信されるのである。
【００３５】
この際、計測センサ６７・６８の制御部４９、センサ部５０を内設する本体７０は、木造構造物２の所定位置に、貼付や、巻き付け、埋め込み等による係止によって取り付けられており、取付位置の木質部での腐食が進行したり漏水等が発生すると、本体７０は、容易に取付位置からずれたり、脱落するようにしている。このようにして、計測センサ６７・６８の現在位置が変化すると、前記異常信号６９が発信される。
【００３６】
更に、前記本体７０の素材を、紙、繊維、プラスチック、あるいはこれらの生分解性を高めた材料から構成し、腐食による膨張や腐朽によって計測センサ６７・６８が容易に破損するようにしてもよい。これにより、計測センサ６７・６８が破損し、前記センサ電波６５の強度がセンサ位置情報データベース６３ｂ中の基準強度に比べて弱まったり、センサ電波６５自体が全く検出されなくなると、計測コントローラ６６は破損データを取得したと判断し、前述の位置データが相違した場合と同様に、異常信号６９が、計測コントローラ６６からネットワーク３を介して前記品質管理装置７やローカル端末５に送信される。つまり、計測センサ６７・６８を、腐食環境の計測手段としてだけでなく、腐食現象を直接確認可能な検知手段としても機能させることができるのである。
【００３７】
すなわち、前記計測手段である計測センサ６７・６８は、木造構造物２に貼付又は係止可能な取付構造を備えると共に、前記送信制御手段である計測コントローラ６６は、計測センサ６７・６８から受信した電波の方向や強度等の電波特性を分析して、該計測センサ６７・６８の位置データと破損データとを取得するので、木造構造物２に直接貼付又は係止した計測センサ６７・６８が腐食の進行に伴って取付位置からずれたり、脱落したり、あるいは破損したことを即座に検知することができるため、周囲環境の計測による間接的なデータに加えて、計測手段である計測センサ６７・６８そのものを使って木質部材の腐食による膨張や腐朽といった現象を直に確認することができ、腐食の進行度合いをより精度良く検知することができる。
【００３８】
次に、以上のような木造構造物監視システム４６に生活監視サブシステム７１を備える場合の実施例について、図１１と図１２により説明する。
該生活監視サブシステム７１は、生活情報の各種計測センサから成る生活情報計測センサ７２と、前記計測コントローラ６６と一緒に、総合コントローラ７３内に併設されるサブコントローラ７４とから構成され、該総合コントローラ７３は前記ネットワーク３に接続されている。そして、該ネットワーク３には、前記ローカル端末５、木造構造物監視センター６の品質管理装置７に加え、新たに、生活情報監視センター７８の生活情報管理装置７９が接続されている。更に、該生活情報管理装置７９には、必要に応じて、前記木造構造物２の居住者、例えば要介護者の暮らしぶりや住まいの様子を監視する監視契約を結んだ福祉サービス会社や建築会社等の関連機関８０におけるローカル端末８１を、専用回線８２や前記ネットワーク３を介して接続してもよい。
【００３９】
前記生活情報計測センサ７２には、生活状況計測センサ７５や住環境計測センサ７６等があり、このうちの生活状況計測センサ７５には、通信装置７５ａ、通信制御装置７５ｂ、センサ部７５ｃ等が組み込まれた感圧センサ、水センサ、開閉センサ、赤外線センサ、温度センサ等が用いられる。例えば、寝床の下に設けた感圧センサにより要介護者の寝返りの回数をカウントしたり、おむつに取り付けた水センサによりおむつの濡れ具合を確認することによって、要介護者への介護処置の要否を判断することができる。なお、かかる生活状況計測センサ７５に加えて、通信装置８５ａ、通信制御装置８５ｂ、スイッチ部８５ｃ等が組み込まれた呼出スイッチ８５を、生活状況計測センサ７５の一種として要介護者の側に設置し、該呼出スイッチ８５による要介護者からの呼出信号の有無によっても、要介護者への介護処置の要否を判断することができる。この呼出スイッチ８５には図示せぬ監視カメラを連動させておき、該監視カメラからの映像情報によっても要介護者の暮らしぶりを確認できるようにしてもよい。
【００４０】
更に、例えば、蛇口等に取り付けた水センサによる水道使用の有無の確認、ドア等に取り付けた開閉センサによるトイレや郵便ポストの使用の有無の確認、及び車庫に取り付けた赤外線センサによる入車庫の有無の確認を行ったり、屋内に配設した温度センサによる体温測定を行うことによって、独居老人等の被監視者の暮らしぶり確認し、被監視者の異常の有無を判断することができる。
【００４１】
前記住環境計測センサ７６には、通信装置７６ａ、通信制御装置７６ｂ、センサ部７６ｃ等が組み込まれた水センサ、通電センサ、ガスセンサ、振動センサ、傾斜センサ、熱センサ、煙センサ、ごみセンサ等が用いられる。例えば、水センサによる水道使用の可否の確認、通電センサによる電気使用の可否の確認、及びガスセンサによるガス使用の可否確認、更には、振動センサによる地震等の感知、傾斜センサによる地滑り等の感知、熱センサによる火災の感知、ガスセンサによるガス漏れの感知を行うことによって、災害時の被災状況を監視し、警報を発することができる。更に、煙センサによる空気汚染の感知、ごみセンサによる部屋内の埃等の感知を行うことによって、室内の汚染状況を監視し、シックハウス、花粉症、アトピー等に対する対策の要否を判断可能としている。
【００４２】
また、前記サブコントローラ７４は、無線式の前記計測コントローラ６６と同様に、通信装置７４ａ、通信制御装置７４ｂ、入出力部７４ｃ、電力供給部７４ｄ等を備えており、各種の前記生活情報計測センサ７２からのセンサ電波７７や呼出電波８６を受信したり、逆に、作動電波８３を生活状況計測センサ７５や住環境計測センサ７６に発信して非接触で電力を供給し計測可能な構成としている。
【００４３】
このような構成において、定期的に、サブコントローラ７４が、複数の生活情報計測センサ７２のうちの所定の計測センサに向かって、データ収集のための作動電波８３を発信する。あるいは、必要に応じて、前記生活情報監視センター７８や利用者４が、前記生活情報管理装置７９やローカル端末５を操作して、ネットワーク３を介して作動信号８４を所定の総合コントローラ７３内のサブコントローラ７４に送信すると、通信制御装置７４ｂが、計測センサの種類等や木造構造物２の個体番号等のデータベースを基に、測定に使用する生活情報計測センサ７２を選択し、該当する生活情報計測センサ７２に向かって作動電波８３を発信する。
【００４４】
このようにして送られてきた作動電波８３を、生活情報計測センサ７２のアンテナ部が受けると、電磁誘導により電流が流れて電力が生じ、該電力によって各センサが起動して計測が行われる。そして、得られた測定データ、呼出信号、映像情報、センサ識別情報等を含んだセンサ電波を、前記サブコントローラ７４に向けて返信する。
【００４５】
サブコントローラ７４では、センサ電波７７や呼出電波８６を受信すると、測定データと一緒に返信されてきたセンサ識別情報を通信制御装置７４ｂのデータベース中のセンサ識別情報と照合して分類し、これを測定データ識別情報として前記測定データに付与し、更に、該測定データは、データベース中の構造物識別情報と関連づけられた上で、前記呼出信号と一緒に、ネットワーク３を介して前記生活情報管理装置７９やローカル端末５に送信される。このようにして、測定データや呼出信号は、生活情報監視センター７８や利用者４、必要に応じて前記関連機関８０等に瞬時に伝達される。
【００４６】
すなわち、前記木造構造物監視システム１は生活監視サブシステム７１を有し、該生活監視サブシステム７１は、前記木造構造物２内での生活状況や住環境を計測する生活情報計測手段である生活情報計測センサ７２と、該生活情報計測センサ７２からの測定データを収集してインターネット等のネットワーク３に送信する生活情報送信制御手段であるサブコントローラ７４とを備え、該サブコントローラ７４からの測定データに基づいて生活状況や住環境の異常の有無を判断するので、要介護者や独居老人等の居住者の暮らしぶりや住まいの様子を適宜監視することができ、居住者や住環境の異常を早期に検知して適切な対応をとることができるため、居住者のトラブルや住環境被害の拡大を確実に防止することができるのである。
【産業上の利用可能性】
【００４７】
本発明は、腐食環境下における材料の品質異常や環境異常をセンサで検出する監視システム全般に適用することができる。例えば、前記含水率測定用の計測センサにＧＰＳ（ｇｌｏｂａｌ  ｐｏｓｉｔｉｏｎ  ｓｙｓｔｅｍ）や太陽電池を組み込んだものを森林の樹木や乾燥中の木材に取り付け、利用者が携帯電話等を使って松食い虫による虫害等の発生を監視する用途や、更には、木材以外で、コンクリート製や鉄製の構造物の腐食を監視する用途にも、適用することができるのである。
【図面の簡単な説明】
【００４８】
【図１】本発明に関わる木造構造物監視システムの全体構成を示すブロック図である。
【図２】計測手段である計測センサの詳細構成を示すブロック図である。
【図３】送信制御手段である計測コントローラの詳細構成を示すブロック図である。
【図４】計測センサと計測コントローラの配置構成を示す木造構造物の平面模式図である。
【図５】品質推測手段である品質管理装置の詳細構成を示すブロック図である。
【図６】木質部の経時劣化モデルを示す図である。
【図７】湿度変化を示す図であり、図７（ａ）は１日の湿度変化、図７（ｂ）は月間の最大湿度差の変化を示す図である。
【図８】無線式の木造構造物監視システムの全体構成を示すブロック図である。
【図９】無線式の計測センサの詳細構成を示すブロック図である。
【図１０】無線式の計測コントローラの詳細構成を示すブロック図である。
【図１１】生活監視サブシステムを有する木造構造物監視システムの全体構成を示すブロック図である。
【図１２】生活監視サブシステムの詳細構成を示すブロック図である。
【符号の説明】
【００４９】
１・４６  木造構造物監視システム
２  木造構造物
３  ネットワーク  
７  品質推測手段
１２・６６  送信制御手段
１３・１４・６７・６８  計測手段
３３  記憶手段
３３ａ  構造物計測情報データベース
３３ｂ  外気計測情報データベース
３３ｄ  分析モデルデータベース
７１  生活監視サブシステム
７２  生活情報計測手段
７４  生活情報送信制御手段
【図１】
2007122175.tif 000003
【図２】
2007122175.tif 000004
【図３】
2007122175.tif 000005
【図４】
2007122175.tif 000006
【図５】
2007122175.tif 000007
【図６】
2007122175.tif 000008
【図７】
2007122175.tif 000009
【図８】
2007122175.tif 000010
【図９】
2007122175.tif 000011
【図１０】
2007122175.tif 000012
【図１１】
2007122175.tif 000013
【図１２】
2007122175.tif 000014